(57)【特許請求の範囲】
【請求項１】
下位ナックルと，該下位ナックルに一体的に固定して起立した支軸と，該下位ナックルの支軸を軸受に受入被嵌することによって該支軸を介して下位ナックル上に回転自在に軸支配設した戸体支持用の上位ナックルとを備え，上記上位ナックルを回動することにより下位ナックルとの間で相互に間欠的に嵌合自在とし，戸体開位置及び閉位置に応じた上位ナックルの所定回動位置をロック可能とする間欠嵌合手段を，上下位ナックルの突合せ対向面に配設し且つ上記下位ナックルの支軸にボルトを起立しそのボルト頭の下面にスプリング押え板を配設する一方，上記軸受に支軸に対する軸受上端を画するように透孔付きの隔壁を形成するスプリング受用部材を嵌着し，上記ボルトを上記隔壁の透孔に遊嵌状に挿通するとともに上記スプリング押え板と該スプリング受用部材の隔壁間にコイルスプリングを付勢状態に介設して上記間欠嵌合手段のロック時における上位ナックルの揺動を防止してなることを特徴とする戸体開閉用ヒンジ。
【請求項２】
上記間欠嵌合手段を，上下位ナックルの突合せ対向面に一体に刻設したそれぞれ複数にして外周方向に向う一方をリブ，他方を該リブ受入嵌合用の受溝としたリブ嵌合面と受溝嵌合面とを対として形成してなることを特徴とする請求項１に記載の戸体開閉用ヒンジ。
【請求項３】
上記間欠嵌合手段を，上下位ナックルの突合せ対向面間に介設した上下位一対のワッシャにおける対向面に刻設したそれぞれ複数にして外周方向に向う一方をリブ，他方を該リブ受入嵌合用の受溝としたリブ嵌合面と受溝嵌合面とを対として形成してなることを特徴とする請求項１に記載の戸体開閉用ヒンジ。
【請求項４】
上記上下位一対のワッシャを，硬質合成樹脂射出成型の成型部品としてなることを特徴とする請求項３に記載の戸体開閉用ヒンジ。
【請求項５】
上記リブ嵌合面のリブ及び受溝嵌合面の受溝を，それぞれ断面Ｖ字状乃至断面台形状とし，その各傾斜面を相互に摺接自在としてなることを特徴とする請求項２，３又は４に記載の戸体開閉用ヒンジ。
【請求項６】
上記リブ嵌合面のリブ及び受溝嵌合面の受溝を，それぞれ９０°の角度の位置関係にして支軸廻りに各４条配設してなることを特徴とする請求項２，３，４又は５に記載の戸体開閉用ヒンジ。
【発明の詳細な説明】
【０００１】
【発明の属する技術分野】
本発明はヒンジに関し，特に戸体開閉用ヒンジに関する。
【０００２】
【従来の技術】
この種戸体開閉用ヒンジは，下位側の軸受部材又は軸支部材としての下位ナックルと，該下位ナックルに起立した支軸と，該支軸を介して下位ナックル上に回動自在とした戸体支持用の，上位側の軸受部材としての上位ナックルとを備えて，該上位ナックルを戸体の開閉方向に常時回動自在としたものとされ，その使用は，下位ナックルを支柱，縦枠等による開口側端固定用として，該ヒンジを上下に離隔して複数，特に一対該開口側端に固定するとともに，各上位ナックルに戸体の一側端を固定することによって，戸体を開閉自在に支持するようにしたものとされる。
【０００３】
【発明が解決しようとする課題】
この場合，戸体支持用の上位ナックルは，戸体の開閉方向に常時回動自在とされるから，戸体を開成したままとし，或いは閉成したままとする開状態又は閉状態の確保維持を行うには，戸体側にそのためのそれぞれの措置を施す必要があり，例えば開状態を確保維持するには床面，地面との間の楔状ドアストッパーを挿入使用し，閉状態を確保維持するには，戸体と上枠間のドアクローザーを設置使用するか，または戸体自由端と開口他側端，他の戸体間にラッチ錠，床面，地面との間に落し錠等の施錠装置を設置使用すべきものとされる。
【０００４】
しかし乍らこれらは設置や取扱いが煩雑化したり，或いは高価となったりする上，戸体の開状態，閉状態の双方を同時に確保維持することはでき得ないし，目隠しの目的や，例えば門扉のように外観重視のデザインを良好にする目的で，開口高さの目隠し位置や腰位置等に高さ幅の小さい小型の戸体を浮し状部分的に設置したりする如くに，ラッチ錠を設ける程の施錠性が必要ではなく，また戸体の位置関係から，ドアストッパー，ドアクローザー，落し錠等のいずれかをも使用し得ない場合があり，このような場合には，戸体の開状態，閉状態は，そのいずれをも確保維持でき得ないことになる。
【０００５】
本発明はかかる事情に鑑みてなされたもので，その解決課題とする処は，それ自体で戸体の開状態，閉状態の双方を同時に確保維持することが可能な戸体開閉用ヒンジを提供するにある。
【０００６】
【課題を解決するための手段】
上記課題に添って本発明は，下位ナックルと，該下位ナックルに起立した支軸と，該支軸を介して下位ナックル上に回動自在とした戸体支持用の上位ナックルとの，ヒンジとしての基本構成とこれによる回動自在性を確保する一方，更に戸体の開位置，閉位置に応じて上位ナックルをロックすることによって，戸体の開状態，閉状態の双方を同時に確保維持するロック自在性をヒンジ自体に付与して具備したものとし，そのために上下位ナックルの突合せ対向面に，上位ナックルを回動することによって，嵌合する嵌合自在な嵌合手段，特にこの嵌合を間欠的に行う間欠的に嵌合自在な間欠嵌合手段を配設するようにし，この間欠嵌合手段によって戸体の開閉に伴い上位ナックルを回動し，そのロック自在性を得て，戸体の開状態，閉状態をヒンジ自体によって確保維持するとともに上記間欠嵌合手段を用いたヒンジとして外れたりすることなく上位ナックルの揺動を防止してロック自在性を安定して確保し得るものとしたものであって，即ち，請求項１に記載の発明を，下位ナックルと，該下位ナックルに一体的に固定して起立した支軸と，該下位ナックルの支軸を軸受に受入被嵌することによって該支軸を介して下位ナックル上に回転自在に軸支配設した戸体支持用の上位ナックルとを備え，上記上位ナックルを回動することにより下位ナックルとの間で相互に間欠的に嵌合自在とし，戸体開位置及び閉位置に応じた上位ナックルの所定回動位置をロック可能とする間欠嵌合手段を，上下位ナックルの突合せ対向面に配設し且つ上記下位ナックルの支軸にボルトを起立しそのボルト頭の下面にスプリング押え板を配設する一方，上記軸受に支軸に対する軸受上端を画するように透孔付きの隔壁を形成するスプリング受用部材を嵌着し，上記ボルトを上記隔壁の透孔に遊嵌状に挿通するとともに上記スプリング押え板と該スプリング受用部材の隔壁間にコイルスプリングを付勢状態に介設して上記間欠嵌合手段のロック時における上位ナックルの揺動を防止してなることを特徴とする戸体開閉用ヒンジとしたものである。
【０００７】
請求項２及び請求項３に記載の発明は，上記に加えて，ヒンジの生産を容易化するとともに上記間欠嵌合手段による確実且つ安定したロック自在性を確保するものとするように，請求項２に記載の発明を，上記間欠嵌合手段を，上下位ナックルの突合せ対向面に一体に刻設したそれぞれ複数にして外周方向に向う一方をリブ，他方を該リブ受入嵌合用の受溝としたリブ嵌合面と受溝嵌合面とを対として形成してなることを特徴とする請求項１に記載の戸体開閉用ヒンジとし，また請求項３に記載の発明を，上記間欠嵌合手段を，上下位ナックルの突合せ対向面間に介設した上下位一対のワッシャにおける対向面に刻設したそれぞれ複数にして外周方向に向う一方をリブ，他方を該リブ受入嵌合用の受溝としたリブ嵌合面と受溝嵌合面とを対として形成してなることを特徴とする請求項１に記載の戸体開閉用ヒンジとしたものである。
【０００８】
請求項４に記載の発明は，更にこの場合にヒンジとしての回動自在性の向上に有益であるとともに間欠嵌合手段の精度を確保し，上位ナックルの回動に伴う騒音の発生を可及的に防止するものとするように，これを，上記上下位一対のワッシャを，硬質合成樹脂射出成型の成型部品としてなることを特徴とする請求項３に記載の戸体開閉用ヒンジとしたものである。
【０００９】
請求項５に記載の発明は，同じく上記に加えて，上位ナックルの回動を可及的にスムーズに行い，ヒンジとしての回動自在性とロック自在性を良好に確保するものとするように，これを，上記リブ嵌合面のリブ及び受溝嵌合面の受溝を，それぞれ断面Ｖ字状乃至断面台形状とし，その各傾斜面を相互に摺接自在としてなることを特徴とする請求項２，３又は４に記載の戸体開閉用ヒンジとしたものである。
【００１０】
請求項６に記載の発明は，同じく上記に加えて，戸体の好適な開状態と閉状態に合わせて，ロック自在性を好適な位置で確保するものとするように，上記リブ嵌合面のリブ及び受溝嵌合面の受溝を，それぞれ９０°の角度の位置関係にして支軸廻りに各４条配設してなることを特徴とする請求項２，３，４又は５に記載の戸体開閉用ヒンジとしたものである。
【００１１】
本発明は，これらをそれぞれ発明の要旨として上記課題解決の手段としたものである。
【００１２】
なお本発明で嵌合自在，嵌合手段における間欠とは，上位ナックルの双方向の回動，即ち戸体の開閉に際し，嵌合を繰り返す場合を含み，一方向の回動，即ち戸体の開成又は閉成に際して，複数回の嵌合を常に繰り返す場合に限らないことは当然である。
【００１３】
【発明の実施の形態】
以下実施例を示す図面に従って本発明を更に具体的に説明すれば，Ａは戸体開閉用のヒンジ，Ｂは開口の支柱をなす門柱，Ｃは門扉とした戸体をそれぞれ示す。
【００１４】
戸体開閉用ヒンジＡは，下位ナックル１と，該下位ナックル１に起立した支軸１０と，該支軸１０を介して下位ナックル１上に回動自在とした戸体支持用の上位ナックル２０とを備えたものとし，これによりヒンジとしての基本構成とこれによる回動自在性を確保したものとする一方，上記上位ナックル２０を回動することにより下位ナックル１との間で相互に間欠的に嵌合自在とし，戸体Ｃ開位置及び閉位置に応じた上位ナックル２０の所定回動位置をロック可能とする間欠嵌合手段４０を，上下位ナックル１，２０の突合せ対向面に間接に配設したものとし，この間欠嵌合手段４０により，ヒンジＡ自体で戸体Ｃの開状態，閉状態双方を同時的に確保維持するようにしたものとしてある。
【００１５】
戸体開閉用のヒンジＡは，下位ナックル１と，該下位ナックル１に一体的に固定して起立した支軸１０と，該下位ナックル１の支軸１０を軸受２１に受入被嵌することによって該支軸１０を介して下位ナックル１上に回転自在に軸支配設した戸体支持用の上位ナックル２０とを備え，上記上位ナックル２０を回動することにより下位ナックル１との間で相互に間欠的に嵌合自在とし，戸体開位置及び閉位置に応じた上位ナックル２０の所定回動位置をロック可能とする間欠嵌合手段４０を，上下位ナックル１，２０の突合せ対向面に配設したものとしてあり，これによりヒンジＡとしての基本構成と回動自在性を確保するとともに間欠嵌合手段によって上記上位ナックル２０を回動することにより下位ナックル１との間で相互に間欠的に嵌合自在とし，戸体Ｃ開位置及び閉位置に応じた上位ナックル２０の所定回動位置をロック可能とするものとしてヒンジＡ自体で戸体Ｃの開状態，閉状態双方を同時的に確保維持するようにしたものとしてある。
【００１６】
またヒンジＡは，上記下位ナックル１の支軸１０にボルト２６を起立しそのボルト頭２７の下面にスプリング押え板２８を配設する一方，上記軸受２１に支軸１０に対する軸受２１上端を画するように透孔２４付きの隔壁２３を形成するスプリング受用部材を嵌着し，上記ボルト２６を上記隔壁２３の透孔２４に遊嵌状に挿通するとともに上記スプリング押え板２８と該スプリング受用部材の隔壁２３間にコイルスプリング２９を付勢状態に介設して上記間欠嵌合手段４０のロック時における上位ナックル２０の揺動を防止したものとしてある。
【００１７】
即ち本例にあってヒンジＡは，例えばアルミダイカストによる鋳造部品厚肉の下位ナックル１及び上位ナックル２０を用いるとともに，例えばアルミ押出材による金属棒材部品の支軸１０を用い，下位ナックル１の嵌入孔２に支軸１０下方を挿入し上方に向けて支軸１０を植立することにより該支軸１０を起立したものとし，また上位ナックル２０は，これを上記起立した支軸１０を，その軸受２１に受入れ被嵌することにより，該支軸１０を介して，上記下位ナックル１上に回動自在として，軸支配設したものとしてある。
【００１８】
間欠嵌合手段４０は，本例にあってこれを上下位ナックル１，２０の突合せ対向面間に介設した上下位一対のワッシャ４１，４８における対向面に刻設したそれぞれ複数にして外周方向に向う一方のリブ４５，他方を該リブ受入嵌合用の受溝５２としたリブ嵌合面４４と受溝嵌合面５１とを対として形成したものとし，上記上下位一対のワッシャ４１，４８は，これを硬質合成樹脂射出成型の成型部品とし，そのリブ嵌合面４４のリブ４５及び受溝嵌合面５１の受溝５２を，それぞれ断面Ｖ字状乃至断面台形状とし，その各傾斜面を相互に摺接自在とするとともに上記リブ嵌合面４４のリブ及び受溝嵌合面５１の受溝５２は，これらをそれぞれ９０°の角度の位置関係にして支軸１０廻りに各４条配設したものとしてある。
【００１９】
即ち本例にあって間欠嵌合手段４０をなすリブ嵌合面４４と受溝嵌合面５１とを有する上下位一対のワッシャ４１，４８は，それぞれ円形にして中央に支軸１０の挿通孔４３，５０を透設した円形リング状のものとするとともに下位ナックル１側に受溝嵌合面５１，上位ナックル２０側にリブ嵌合面４４を配置するように，下位ワッシャ４８と上位ワッシャ４１とを一対として，それぞれ，耐摩耗性，潤滑性に富んだ硬質合成樹脂の，例えばポリアセタール樹脂をピース状の成型部品に射出成型することによって構成したものとしてあり，このときその各表面，即ち対として使用したときの対向面には，上記受溝嵌合面５１とリブ嵌合面４４とを配置する一方，各裏面，即ち下位ナックル１及び上位ナックル２０側の非対向面には，これらの嵌着孔３，２３に，密嵌圧入して装着する，コーナーを落した方形状の嵌合脚部４７，５４を備えたものとして構成してある。
【００２０】
このとき受溝嵌合面５１とリブ嵌合面４４の受溝５２及びリブ４５は，本例にあって，特に相互に対応するように同数にして９０°の角度の位置関係に各４条にして，受溝５２は，ワッシャ基部４９から凹陥した６０°の傾斜面を有する断面Ｖ字状とし，リブ４５は，該受溝５２における先細の先端に対して，先端を裁頭状に除去した以外はこれと同形にワッシャ基部４２から突出した上端水平にして６０°の傾斜面を有する断面台形状としてあり，更に本例にあって受溝５２及びリブ４５は，それぞれ外周方向に向けて同一幅矩形の平面形状を呈するように各ワッシャ基部４９，４２から凹陥及び突出して形成したものとしてある。
【００２１】
従って本例にあって，受溝嵌合面５１とリブ嵌合面４４とは，ワッシャ４８，４１の一方を他方に対して，一方向又は他方向に向けて回動することによって，受溝５２とリブ４５との関係は，リブ４５が受溝５２から，各傾斜面を相互に摺接させ乍ら，この傾斜面の摺接を案内とするようにして，浮上り状に外れて，隣接次位の受溝５２に対して同じく各傾斜面を相互に摺接させ乍ら，この傾斜面の摺接を案内とするようにして定位置まで降下状に嵌合して，９０°毎順次の間欠嵌合を自在化することになり，このとき本例のリブ４５は，上記断面台形状としたから，受溝５２より浮上り状に外れた際に，受溝嵌合面５１の残存した基部面，即ち本例においては，円形リング状のワッシャ４９から９０°の角度にして４条の平面矩形状の受溝５２を除いた，平面三角形状に隆起することになる残存基部面５３上で，これに面接状に面摺接して回動するようになるとともに，また上記降下状に間欠嵌合したとき，この残存基部面５３は，同様に平面三角形状に凹陥することになるリブ嵌合面４４の残存基部面４６に面接状に同時に嵌合することになり，このため本例の受溝嵌合面５１とリブ嵌合面４４とは，リブ４５と受溝５２及び残存基部面４６，５３同士が全面に亘る相互にして歯合状の嵌合を行う歯合面をなすようになり，上記リブ４５と受溝５２との安定して好ましい間欠嵌合を得られる。
【００２２】
なお上記リブ４５と受溝５２の傾斜面の摺接及びリブ４５の残存基部面５３への面摺接は，ワッシャ４１，４８をポリアセタール樹脂の成型部品としたことにより，特にその素材の潤滑性から極めてスムーズになされ，またこれら摺接によって予想される摩耗も，この素材の潤滑性及び上記耐摩耗性によって可及的に防止し得るとともに摩耗の発生は，可及的に均一化されるに至り，長期の使用に耐久性を有するものとすることができる。
【００２３】
本例の上下位一対のワッシャ４１，４８は，挿通孔４３，５０にそれぞれ支軸１０を挿通する一方，受溝嵌合面５１を有する下位ワッシャ４８を下位ナックル１上端に，リブ嵌合面４４を有する上位ナックル２０を下位ナックル１下端に，それぞれの嵌着孔３，２２に嵌合脚部４７，５４を密嵌圧入して装着し，これら上下位ナックル１，２０間に介設して，これらの突合せ対向面に間接的に間欠嵌合部４０を形成してヒンジＡとするように用いる。
【００２４】
このとき上記下位ナックル１の嵌入孔２への支軸１０下方の挿入を，密嵌圧入の挿入とすることによって，支軸１０を下位ナックル１に一体的に固定したものとしてあり，該支軸１０上端に上記ボルト２６を起立し，下面にスプリング押え板２８を配設した軸受２１上端を画する別製のスプリング受用部材を嵌着することによって上位ナックル２０の軸受２１上端を画し，その隔壁２３の透孔２４に上記ボルト２６遊嵌状に挿通し，そのスプリング受部内の上記隔壁２３とボルト頭２７間，特にボルト頭２７側でその下面に配設したスプリング押え板２８との間にコイルスプリング２９を付勢状態に介設してあり，これによってコイルスプリング２９の抜けを防止して確実な付勢状態を確保するとともに上記間欠嵌合手段４０のロック時における上位ナックル２０の揺動を防止したものとしてある。
【００２５】
ヒンジＡの使用は，該ヒンジＡを戸体Ｃ毎に上下に２ケ所用い，下位ナックル１を開口側端の門柱Ｂに固定する一方，上位ナックル２０に戸体Ｃの一側端を固定することによって，該戸体Ｃを開閉自在に支持するように行うものとしてあり，本例にあって上記下位ナックル１の門柱Ｂへの固定は，下位ナックル１の外周面から鋳造により一体に突設したアーム４を介して，その先端を門柱Ｂに螺着するように行ってあり，特に本例にあっては，ヒンジＡの位置を調整し得るように上記アーム４に加えて該アームにスライド自在の固定金具５を用い，アーム４を所定位置に保持して該固定金具５を門柱Ｂに螺着することによって行ってあり，一方上位ナックル２０の戸体Ｃ一側端の固定は，上位ナックル２０の外周面から，同じく鋳造により一体に突設したブラケット板３１を介して行うようにしてあり，本例にあって該ブラケット板３１は，挟圧ブラケットをなすように別体に鋳造によって形成した挟圧板３２とともに用い，これらの重合部分間上下の締着ボルト３３の締着により，ブラケット板３１と挟圧板３２との先端挟着部３４に戸体Ｃ一側端の端部を挟着することによって行ってある。
【００２６】
従って本例にあってヒンジＡに支持された戸体Ｃは，これを，例えば人手によって開成するように開成力を加えれば，ヒンジＡにより回動開成し，このときヒンジＡにおいては，リブ嵌合面４４のリブ４５が，受溝嵌合面５１の受溝５２から上記浮上り状に外れて，上位ナックル２０がやや上昇した状態で回動し，その所定回動位置，本例においては，閉状態から前後に各９０°の位置，即ち戸体Ｃ開位置において隣接次位の受溝５２に降下状に間欠嵌合するに至り，該間欠嵌合によって上位ナックル２０の回動位置がロックされ，更に外力を加えない限り戸体Ｃは，ヒンジＡの間欠嵌合手段４０によりその開状態が確保維持されることになり，一方，戸体Ｃを閉成するように閉成力を加えれば，同様に上位ナックル２０が逆方向に回動し，同様にヒンジＡの間欠嵌合手段４０によりその閉状態が確保維持され，ヒンジＡ自体によって戸体Ｃの開状態，閉状態の双方を同時に確保維持することができる。
【００２７】
図中３０は上位ナックル２０に設けたボルト隠し用の上端キャップ，５５は上位ナックル２０下端に一体成型する等して一体の又は螺装する等して別体のスカートとして配設することにより，上下位ナックル１，２０の露出を防止する上下位ナックル１，２０被覆部材である。
【００２８】
図示した例は以上のとおりとしたが，本発明は実施の形態として，間欠嵌合手段を上下位ナックルの突合せ対向面に直接に配設したものとすること，この場合間欠嵌合手段を，例えば上下位ナックルと一体成型し又は上下位ナックルに後加工を加えること等により，上下位ナックルの突合せ対向面に一体に刻設した上記と同様のリブ嵌合面と受溝嵌合面とを対として形成すること，上下位ナックルとは別部材を用いるとき，上下位一対のワッシャを，アルミ鋳物，スチール加工品等の鋳造加工，機械加工を含む金属，セラミック等各種材質，各種加工によるものとすること，上下位一対のワッシャを硬質合成樹脂の射出成型の成型部品とするとき，上記に代えて硬質ナイロン等を用いてコストダウンを図るようにすること，リブ嵌合面のリブ及び受溝嵌合面の受溝を用いるとき，それぞれを断面Ｖ字状又は断面台形状とし，またこれらによるときその平面形状をリブ，受溝がそれぞれ外周方向に向けて拡開する等の形状として，嵌合面積を拡大するようにし，更にリブと受溝との数を同数とすることなく，受溝数を増加し，上位ナックルのロック位置を，例えば半開き状態を含む如くにすること，上記受溝嵌合面とリブ嵌合面の位置関係を上下に逆とすること，間欠嵌合手段を，上記リブ嵌合面と受溝嵌合面によるものに代えて，それぞれ複数にして上下方向に向う一方を突起，他方を該突起受入嵌合用の受孔とした突起嵌合面と受孔嵌合面とを対として形成するようにすること，上記例の密嵌圧入等とともに又はこれに代えて，ネジ止め等他の固定手段による固定を必要に応じて行うこと等を含めて，下位ナックル，支軸，上位ナックル，間欠嵌合手段，戸体等の各具体的形状，構造，材質，これらの関係，これらと開口側端や戸体との関係，これらに対する付加等は，上記発明の要旨に反しない限り様々のものに変更可能である。
【００２９】
【発明の効果】
本発明は以上のとおりに構成したので，請求項１に記載の発明は，間欠嵌合手段により，戸体の開位置，閉位置に応じて上位ナックルをロックすることによって，戸体の閉状態，開状態の双方を同時に確保維持するロック自在性をそれ自体備えるとともにヒンジとして外れたりすることなく一体性を確保するとともに間欠嵌合手段のロック時における上位ナックルの揺動を防止することができる戸体開閉用ヒンジを提供することができる。
【００３０】
請求項２及び請求項３に記載の発明は，上記に加えて，ヒンジの生産を容易化するとともに上記間欠嵌合手段による確実且つ安定したロック自在性を確保することができる。
【００３１】
請求項４に記載の発明は，更にこの場合にヒンジとしての回動自在性の向上に有益であるとともに間欠嵌合手段の精度を確保し，上位ナックルの回動に伴う騒音の発生を可及的に防止することができる。
【００３２】
請求項５に記載の発明は，同じく上記に加えて，上位ナックルの回動を可及的にスムーズに行い，ヒンジとしての回動自在性とロック自在性を良好に確保することができる。
【００３３】
請求項６に記載の発明は，同じく上記に加えて，戸体の好適な開状態と閉状態に合わせて，ロック自在性を好適な位置で確保することができる。ものとするように，上記リブ嵌合面のリブ及び受溝嵌合面の受溝を，それぞれ９０°の角度の位置関係にして支軸廻りに各４条配設してなることを特徴とする請求項２，３，４又は５に記載の戸体開閉用ヒンジとしたものである。
【図面の簡単な説明】
【図１】  ヒンジの正面図である。
【図２】  ヒンジの縦断面図である。
【図３】  ヒンジの平面図である。
【図４】  上下位ナックルとワッシャとの関係を示す分解図である。
【図５】  間欠嵌合手段の嵌合状態を示す正面図である。
【図６】  間欠嵌合手段の回動状態を示す正面図である。
【図７】  上位ワッシャの正面図である。
【図８】  上位ワッシャの平面図である。
【図９】  下位ワッシャの正面図である。
【図１０】  下位ワッシャの平面図である。
【図１１】  ヒンジの使用状態を示す正面図である。
【図１２】  戸体の開閉状態を示す平面図である。
【符号の説明】
Ａ  ヒンジ
Ｂ  門柱
Ｃ  戸体
１  下位ナックル
１０  支軸
２０  上位ナックル
２１  軸受
２３  隔壁
２４  透孔
２５  スプリング受部
２６  ボルト
２７  ボルト頭
２８  スプリング押え板
２９  コイルスプリング
４０  間欠嵌合手段
４１  上位ワッシャ
４４  リブ嵌合面
４５  リブ
４８  下位ワッシャ
５１  受溝嵌合面
５２  受溝
【図１】
0003683314.tif 000002
【図２】
0003683314.tif 000003
【図３】
0003683314.tif 000004
【図４】
0003683314.tif 000005
【図５】
0003683314.tif 000006
【図６】
0003683314.tif 000007
【図７】
0003683314.tif 000008
【図８】
0003683314.tif 000009
【図９】
0003683314.tif 000010
【図１０】
0003683314.tif 000011
【図１１】
0003683314.tif 000012
【図１２】
0003683314.tif 000013